(57)【要約】【課題】無線機からＲＳＳＩ信号を取り出す必要がなく、回路構成を簡略化させることができると共に、部品点数を少なくすることができ、配線の簡略化を図ることができるデータ端末の電界強度表示装置を提供する。【解決手段】無線機１に接続されたデータ端末２において、無線機１が受信したデータのうち、誤って受信したデータの割合（エラー率）を測定し、その測定結果にもとづき、受信電界強度レベルと予め対応付けられた本数のアンテナピクト２１ａを表示する。【選択図】        図１
2004349897.tif 000002
【特許請求の範囲】
【請求項１】
無線機に接続されたデータ端末において、
無線機が受信したデータのうち、誤って受信したデータの割合（エラー率）を測定し、その測定結果にもとづき、受信電界強度レベルと予め対応付けられた本数のアンテナピクトを表示するように構成したことを特徴とするデータ端末の電界強度表示装置。
【請求項２】
無線機に接続されたデータ端末において、
無線機が受信したデータのうち、誤り訂正を行なった数を求め、受信した全データに対する誤り訂正の割合を計算することによりエラー率を算出し、その算出結果にもとづき、受信電界強度レベルと予め対応付けられた本数のアンテナピクトを表示するように構成したことを特徴とするデータ端末の電界強度表示装置。
【請求項３】
パケット通信方式の無線機に接続されたデータ端末において、
単位時間あたりに送られてきた全パケットのうち、正常に受信できたパケットの数を求め、全パケット数に対して正常に受信できたパケット数の割合を計算することによりエラー率を算出し、その算出結果にもとづき、受信電界強度レベルと予め対応付けられた本数のアンテナピクトを表示するように構成したことを特徴とするデータ端末の電界強度表示装置。
【発明の詳細な説明】
【０００１】
【発明の属する技術分野】
本発明は、無線機に接続されたデータ端末の電界強度表示装置に関するものである。
【０００２】
【従来の技術】
携帯電話機においては、待ち受け画面に、アンテナピクトが表示されている。このアンテナピクトは、待ち受け中や通信中に、携帯電話機の現在位置から所定強度の信号が届く範囲内の最寄りの基地局から所定の周波数帯で送信される信号の受信レベルを常時測定し、その測定結果を表示したものである。このように、携帯電話機では、受信電界強度レベルと予め対応付けられた本数のアンテナピクトを表示することによって、携帯電話機の受信品質の目安等をユーザに間接的に通知するように構成していた。（例えば、特許文献１参照）
【０００３】
また、図６に示す従来の無線機１においては、受信電界強度レベルと予め対応付けられた本数のアンテナピクト１１ａを有する受信電界強度表示部１１を設けていた。このアンテナピクト１１ａを表示するためには、図７に示す検波回路１２を用いて、電波の電界強度を測定し、その測定結果にもとづいてアンテナピクト１１ａを表示し、受信電界強度の表示を行なっていた。
【０００４】
一方、無線機１に接続された外部のデータ端末２側にも、受信電界強度レベルと予め対応付けられた本数のアンテナピクト２１ａを有する受信電界強度表示部２１が設けられていた。この受信電界強度表示部２１のアンテナピクト２１ａを表示するためには、図７に示す無線機１におけるＲＳＳＩ信号（受信電界強度：Ｒｅｃｅｉｖｅｄ  Ｓｉｇｎａｌ  Ｓｔｒｅｎｇｔｈ  Ｉｎｄｉｃａｔｏｒ）などの電界強度信号３を検波回路１２から取り出し、データ端末２へ供給する必要があった。ＲＳＳＩ信号が入力されたデータ端末２では、ＲＳＳＩ信号をＡ／Ｄコンバータ２２でデジタル信号に変換し、マイコン２４へ取り込み、信号の強弱にあわせて、液晶表示部からなる受信電界強度表示部２１のアンテナピクト２１ａを表示させていた。
【０００５】
【特許文献１】
特開２００２−３７４５７５号公報（第２頁−５頁、第１図）
【０００６】
【発明が解決しようとする課題】
図６および図７に示す従来のデータ端末の電界強度表示装置にあっては、無線機１に接続された外部のデータ端末２で、アンテナピクト２１ａによる受信電界強度の表示を行なうためには、図７に示すように、無線機１でのＲＳＳＩ信号などの受信電界強度信号３を取り出し、データ端末２へ供給する必要があった。したがって、データ端末２では、例えば、ＲＳＳＩ信号をＡ／Ｄコンバータ２２でデジタル信号に変換し、マイコン２４へ取り込み、信号の強弱にあわせて、アンテナピクト２１ａを表示する必要があるため、回路構成が複雑となり、部品点数も増加し、配線箇所も多くなるという問題点があった。
【０００７】
また、無線機１における音声信号の場合は、ノイズ交じりでも聞き取ることは可能であるが、ノイズによってデータが通らない場合など、通常の電界強度の表示では、データの通りに対し、表示が目安にならない場合があるなどの問題点があった。
【０００８】
本発明は上記従来の技術の有するこのような問題点に鑑みてなされたものであり、その目的とするところは、無線機からＲＳＳＩ信号を取り出す必要がなく、回路構成を簡略化させることができると共に、部品点数を少なくすることができ、配線の簡略化を図ることができるデータ端末の電界強度表示装置を提供することにある。また、アンテナピクトの表示をデータの通りと一致させることができ、データ通信に好適なデータ端末の電界強度表示装置を提供することにある。
【０００９】
【課題を解決するための手段】
上記の目的を達成するために、本発明のデータ端末の電界強度表示装置は、無線機に接続されたデータ端末において、無線機が受信したデータのうち、誤って受信したデータの割合（エラー率）を測定し、その測定結果にもとづき、受信電界強度レベルと予め対応付けられた本数のアンテナピクトを表示するように構成したものである。
【００１０】
また、無線機に接続されたデータ端末において、無線機が受信したデータのうち、誤り訂正を行なった数を求め、受信した全データに対する誤り訂正の割合を計算することによりエラー率を算出し、その算出結果にもとづき、受信電界強度レベルと予め対応付けられた本数のアンテナピクトを表示するように構成することもできる。
【００１１】
さらに、パケット通信方式の無線機に接続されたデータ端末において、単位時間あたりに送られてきた全パケットのうち、正常に受信できたパケットの数を求め、全パケット数に対して正常に受信できたパケット数の割合を計算することによりエラー率を算出し、その算出結果にもとづき、受信電界強度レベルと予め対応付けられた本数のアンテナピクトを表示するように構成することが効果的である。
【００１２】
【発明の実施の形態】
発明の実施の形態を実施例にもとづき図面を参照して説明する。
なお、図６および図７に示す従来例と同一部分には同一符号を付し、その共通する箇所の詳細な説明は重複するため省略する。
図１は、本発明に係るデータ端末の電界強度表示装置の実施例を示す概念図である。図２は、本発明に係るデータ端末の電界強度表示装置の機能的構成を示すブロック図である。
【００１３】
図１において、無線機１に接続されたデータ端末２の受信電界強度表示部２１を表示動作させるために、図２に示すように、無線機１の検波回路１２の検波出力４をデータ端末２へ入力する。この検波出力４には、無線機１で受信した符号化されたデータ信号が含まれている。この検波出力４をデータ端末２のモデム２３で復号化してデジタル信号に変換する。
【００１４】
図３のフローチャートに示すように、モデム２３で復号化し、デジタル信号に変換する際（ステップＳ１）に、無線機１で受信した全データのうち、誤って受信したデータの割合（エラー率）をマイコン２４で測定（ステップＳ２）する。このエラー率の測定結果にもとづき、エラーが多くなったかどうかの判定（ステップＳ３）を行なう。
【００１５】
エラーが多くなった場合は、アンテナピクト２１ａの表示本数を減らし（ステップＳ４）、受信電界強度レベルと予め対応付けされた液晶表示部で構成されたアンテナピクト２１ａを表示動作（ステップＳ７）させる。一方、エラーが少なくなった場合（ステップＳ５）は、アンテナピクト２１ａの表示本数を増やし（ステップＳ６）、受信電界強度レベルと予め対応付けされたアンテナピクト２１ａを表示動作（ステップＳ７）させる。
【００１６】
本発明は、上記のように受信機１で受信したデータのエラー率を測定して、アンテナピクト２１ａを表示動作させ、受信電界強度の表示を行なうように構成したから、従来のように、受信機１からＲＳＳＩ信号を取り出す必要がなくなり、データ端末２のソフトウエア処理だけで、アンテナピクト２１ａの表示動作を行なわせることが可能となった。その結果、回路構成を簡略化せせることができると共に、部品点数を少なくすることができ、配線に簡略化を図ることができる。
【００１７】
また、本発明によれば、ノイズ状況によってもアンテナピクト２１ａが変化する。無線機１で復調された音声信号の場合では、ノイズ交じりでも聞き取りことはできるが、ノイズによってデータが通らない場合など、通常の受信電界強度表示では、データの通りに対し、受信電界強度の表示が目安にならない場合があるが、本発明の場合、アンテナピクト２１ａの表示がデータの通りと一致しているので、データ通信には好適なアンテナピクト２１ａによる表示を構成することができる。
【００１８】
上述した本発明の第１の実施例においては、無線機１の外部のデータ端末２に実施した場合について説明したが、携帯電話機や放送受信機に接続された外部のデータ端末にも用いることが可能である。
【００１９】
また、エラー率の求め方を、図４のフローチャートに示すように行なうことができる。まず、受信したデータ信号をデータ端末２のモデム２３で復号化（ステップＳ１１）してデジタル信号に変換し、そのデジタル信号に対し誤り訂正（ステップＳ１２）を行なう。その際に、誤り訂正を行なった数を求め、受信した全データに対しての誤り訂正の割合を求めてエラー率を算出（ステップＳ１３）する。
【００２０】
上記算出結果にもとづき、誤り訂正の数が多くなったかどうかを判定（ステップＳ１４）を行なう。誤り訂正が多くなった場合は、アンテナピクト２１ａの表示本数を減らし（ステップＳ１５）、また、誤り訂正が少なくなった場合（ステップＳ１６）は、アンテナピクト２１ａの表示本数を増やして（ステップＳ１７）、受信電界強度レベルと予め対応付けられた本数のアンテナピクト２１ａを表示（ステップＳ１８）し、受信電界強度の表示を行なう。
【００２１】
さらに、パケット通信方式の受信機におけるエラー率の求め方は、図５のフローチャートに示すように行なうことができる。パケット通信方式において、単位時間あたりに、送られてきた全パケットのうち、正常に受信できたパケットの個数を求めて、全パケット数に対して正常に受信できたパケット数の割合を計算することによりエラー率を算出（ステップＳ２３）する。
【００２２】
上記算出結果にもとづき、受信パケット数が少なくなったかどうかを判定（ステップＳ２４）を行なう。パケット数が少なくなった場合は、アンテナピクト２１ａの表示本数を減らし（ステップＳ２５）、また、パケット数が多くなった場合（ステップＳ２６）は、アンテナピクト２１ａの表示本数を増やして（ステップＳ２７）、受信電界強度レベルと予め対応付けられた本数のアンテナピクト２１ａを表示（ステップＳ２８）し、受信電界強度の表示を行なう。
【００２３】
【発明の効果】
本発明は、以上説明したように構成されているので、従来のように、無線機からＲＳＳＩ信号を取り出す必要がなく、回路構成を簡略化させることができると共に、部品点数を少なくすることができ、配線の簡略化を図ることができる。また、アンテナピクトの表示をデータの通りと一致させることができ、データ通信に好適なデータ端末の電界強度表示装置を提供することができる。
【図面の簡単な説明】
【図１】本発明に係るデータ端末の電界強度表示装置の実施例を示す概念図である。
【図２】本発明に係るデータ端末の電界強度表示装置の機能的構成を示すブロック図である。
【図３】図１および図２におけるデータ端末の電界強度表示装置の動作の流れを示すフローチャートである。
【図４】本発明に係るデータ端末の電界強度表示装置の他の例の動作の流れを示すフローチャートである。
【図５】本発明に係るデータ端末の電界強度表示装置の他の例の動作の流れを示すフローチャートである。
【図６】従来のデータ端末の電界強度表示装置を示す概念図である。
【図７】従来のデータ端末の電界強度表示装置の機能的構成を示すブロック図である。
【符号の説明】
１        無線機
１１      受信電界強度表示部
１１ａ    アンテナピクト
１２      検波回路
２        データ端末
２１      受信電界強度表示部
２１ａ    アンテナピクト
２２      Ａ／Ｄコンバータ
２３      モデム
２４      マイコン
３        受信電界強度信号
４        検波出力
【図１】
2004349897.tif 000003
【図２】
2004349897.tif 000004
【図３】
2004349897.tif 000005
【図４】
2004349897.tif 000006
【図５】
2004349897.tif 000007
【図６】
2004349897.tif 000008
【図７】
2004349897.tif 000009